(57)【特許請求の範囲】
【請求項１】
中間配線盤に複数設けられたＩＤＦ端子に信号線を接続するためのＩＤＦ端子用コネクタであって、
前記ＩＤＦ端子が挿入される挿入穴が、１回線分のＩＤＦ端子数だけ形成されたハウジングと、
前記ハウジングの各挿入穴内に設けられ、前記ＩＤＦ端子を導通可能に把持し、前記挿入穴の軸方向にスライド自在な把持部材と、
前記ハウジングに接続され、複数の信号線を有するケーブルと、
前記各把持部材による把持を一斉解除する解除手段と、
を備え、前記各把持部材に前記信号線が導通可能に接続されている、
ことを特徴とするＩＤＦ端子用コネクタ。
【請求項２】
前記信号線に接続され、該信号線のインピーダンスレベルを測定するための測定端子を備える、
ことを特徴とする請求項１に記載のＩＤＦ端子用コネクタ。
【請求項３】
前記信号線に接続され、該信号線に伝送される信号のレベルを調整するレベル調整手段を備える、
ことを特徴とする請求項１または２のいずれか１項に記載のＩＤＦ端子用コネクタ。
【発明の詳細な説明】
【技術分野】
【０００１】
この発明は、中間配線盤（ＩＤＦ）のＩＤＦ端子（ラッピング端子）に信号線を接続するためのＩＤＦ端子用コネクタに関する。
【背景技術】
【０００２】
例えば、電気所において通信装置間で通信回線を接続する場合、中間配線盤の端子台間をジャンパ線（信号線）によって接続している。すなわち、中間配線盤は、装置側端子と中継用端子とが一体化しており、回線を構成する際には、針状のＩＤＦ端子間をジャンパ線で接続する必要がある。そして、この接続に際しては、専用のラッピング工具を使用して、１本ずつジャンパ線をＩＤＦ端子の根元側に巻き付ける必要があるが、このような作業は熟練を要し、作業者によって作業時間に大きな差が生じる。しかも、例えば、送信信号配線２本、受信信号配線２本およびシグナル信号線２本の計６本の配線を接続する必要があり、両端子台において計１２端子に対する接続作業を要し、多大な労力、時間を要するばかりでなく、作業品質にもバラツキが生じるおそれがあった。
【０００３】
そこで、信号線の接続作業時間を低減することができるワンタッチ接続コネクタが知られている（例えば、特許文献１参照。）。このコネクタは、ハウジングの一面に、ＩＤＦ端子が挿入される複数の端子穴が格子状に形成され、ハウジングの他面に、複数の信号線を含む接続コードが接続され、各信号線に接続された導電部材が各端子穴の内面底部に設けられている。そして、ワンタッチで各ＩＤＦ端子を端子穴に挿入することで、各ＩＤＦ端子がそれぞれ導電部材を介して信号線に接続されるとともに、固定ネジを締め付けることで、ワンタッチ接続コネクタを中間配線盤に固定するものである。
【先行技術文献】
【特許文献】
【０００４】
【特許文献１】特開２００８−１７１６６４号公報
【発明の概要】
【発明が解決しようとする課題】
【０００５】
ところで、ジャンパ線が既にＩＤＦ端子に巻き付けられている場合があるが、このような場合、特許文献１のワンタッチ接続コネクタでは、既設のジャンパ線が干渉・邪魔して接続することができない。また、特許文献１のワンタッチ接続コネクタは、端子板単位で構成されているため、特定の回線（ＩＤＦ端子）のみを接続する場合には適さない。
【０００６】
そこでこの発明は、中間配線盤の配線状態や配設要求などに応じて、信号線を柔軟かつ容易にＩＤＦ端子に接続することを可能にするＩＤＦ端子コネクタを提供することを目的とする。
【課題を解決するための手段】
【０００７】
上記課題を解決するために、請求項１の発明は、中間配線盤に複数設けられたＩＤＦ端子に信号線を接続するためのＩＤＦ端子用コネクタであって、前記ＩＤＦ端子が挿入される挿入穴が、１回線分のＩＤＦ端子数だけ形成されたハウジングと、前記ハウジングの各挿入穴内に設けられ、前記ＩＤＦ端子を導通可能に把持し、前記挿入穴の軸方向にスライド自在な把持部材と、前記ハウジングに接続され、複数の信号線を有するケーブルと、前記各把持部材による把持を一斉解除する解除手段と、を備え、前記各把持部材に前記信号線が導通可能に接続されている、ことを特徴とする。
【０００８】
この発明によれば、１回線分の各ＩＤＦ端子をハウジングの挿入穴に挿入すると、各把持部材によってそれぞれＩＤＦ端子が導通可能に把持され、把持部材を介して各ＩＤＦ端子がそれぞれ信号線に導通可能に接続される。
【００１０】
請求項２の発明は、請求項１に記載のＩＤＦ端子用コネクタにおいて、前記信号線に接続され、該信号線のインピーダンスレベルを測定するための測定端子を備える、ことを特徴とする。
【００１１】
請求項３の発明は、請求項１または２のいずれか１項に記載のＩＤＦ端子用コネクタにおいて、前記信号線に接続され、該信号線に伝送される信号のレベルを調整するレベル調整手段を備える、ことを特徴とする。
【発明の効果】
【００１２】
請求項１の発明によれば、各ＩＤＦ端子をハウジングの挿入穴に挿入するだけで、把持部材を介して各ＩＤＦ端子がそれぞれ信号線に導通可能に接続されるため、適正かつ容易、短時間に信号線をＩＤＦ端子に接続を行うことが可能となる。しかも、１回線分のＩＤＦ端子数だけ挿入穴がハウジングに形成され、また、ＩＤＦ端子を導通可能に把持する把持部材が挿入穴の軸方向にスライド自在なため、中間配線盤の配線状態や配設要求などに応じて、信号線を柔軟にＩＤＦ端子に接続することが可能となる。
【００１３】
すなわち、１回線分のＩＤＦ端子数だけ挿入穴がハウジングに形成されているため、個別回線の事故復旧などの配設要求に応じて、特定の回線（ＩＤＦ端子）のみに本ＩＤＦ端子用コネクタ（信号線）を接続することができる。また、把持部材が挿入穴の軸方向にスライド自在なため、ＩＤＦ端子にジャンパ線が巻き付けられている場合などであっても、把持部材が軸方向にスライドすることでジャンパ線が干渉・邪魔せず、配線状態に応じてＩＤＦ端子に接続することが可能となる。
【００１４】
また、解除手段によって各把持部材によるＩＤＦ端子の把持が一斉に解除されるため、容易かつ迅速に本ＩＤＦ端子用コネクタを取り外すことができる。一方、解除手段で把持を解除しなければ、本ＩＤＦ端子用コネクタがＩＤＦ端子に強固に接続されるため、接続状態が安定化する。
【００１５】
請求項２の発明によれば、信号線のインピーダンスレベルを測定するための測定端子を備えるため、本ＩＤＦ端子用コネクタを接続した状態でも、容易にインピーダンスレベルを測定することができる。
【００１６】
請求項３の発明によれば、信号のレベルを調整するレベル調整手段を備えるため、基板での中継用アッテネータ（減衰器）などを設けなくても、容易かつ短時間に信号レベルを調整することができる。
【図面の簡単な説明】
【００１７】
【図１】この発明の実施の形態に係るＩＤＦ端子用コネクタを示す正面図である。
【図２】図１のＩＤＦ端子用コネクタのコネクタ本体を示す正面図（ａ）と、平面図（ｂ）と、側面図（ｃ）と、底面図（ｄ）である。
【図３】図２のコネクタ本体の把持部材でＩＤＦ端子を把持していない状態を示す図（ａ）と、ＩＤＦ端子を把持した状態を示す図（ｂ）である。
【図４】図３（ｂ）のＡ―Ａ断面図である。
【図５】図２のコネクタ本体の解除機構を示す図である。
【図６】図１のＩＤＦ端子用コネクタの信号線の接続状態を示す図である。
【発明を実施するための形態】
【００１８】
以下、この発明を図示の実施の形態に基づいて説明する。
【００１９】
図１〜図６は、この発明の実施の形態を示し、図１は、この発明の実施の形態に係るＩＤＦ端子用コネクタ１を示す正面図である。このＩＤＦ端子用コネクタ１は、中間配線盤１００に多数設けられたＩＤＦ端子１０１に信号線（ジャンパ線）を接続するための中継用ワンタッチ配線接続調整器であり、ケーブル２の両端部にそれぞれコネクタ本体３が接続されている。
【００２０】
コネクタ本体３は、主として、ハウジング４と、把持部材５と、解除機構（解除手段）６と、モニタ端子（測定端子）７と、アッテネータ（レベル調整手段）８とを備えている。ここで、この実施の形態では、１回線分の信号線が後述するように６本で、１回線分のＩＤＦ端子１０１の数が６端子の場合について説明する。
【００２１】
ハウジング４は、電気絶縁材で構成され、図２に示すように、角柱を６つ横並びに接続したような形状をしており、表面板部４ａから内部に向かって延び、ＩＤＦ端子１０１が挿入される挿入穴４１が、６つ（１回線分のＩＤＦ端子数だけ）横並びに形成されている。この挿入穴４１は、図３に示すように、ジャンパ線１０２が巻き付けられたＩＤＦ端子１０１を挿入できるように口元が形成され、また、内部が広く形成されて把持部材５が配設されている。
【００２２】
把持部材５は、各挿入穴４１内に設けられ、ＩＤＦ端子１０１を導通可能に把持し、挿入穴４１の軸方向にスライド自在となっている。すなわち、棒状で電気伝導性の２つの把持体５１、５１が、挿入穴４１の中心線を挟むように配設され、かつ、回転軸５２を中心に開閉自在に接続されて、挿入穴４１内に収納されている。この把持体５１、５１の下半部間には、第１のコイルばね５３が配設され、この第１のコイルばね５３の押圧力によって、把持体５１、５１の下半部が広がる方向に押圧され、把持体５１、５１の上半部が狭まる方向に押圧されて、ＩＤＦ端子１０１を導通可能に把持するようになっている。
【００２３】
また、各把持体５１の上半部の挿入穴４１の中心側の面には、ＩＤＦ端子１０１の挿入方向Ｄ１に向かうに従って挿入穴４１の中心側に高くなる山状（三角状）の凸部５１ａが、長手方向に複数形成されている。これにより、ＩＤＦ端子１０１を把持体５１、５１間に挿入しやすいとともに、ＩＤＦ端子１０１が把持体５１、５１間から抜けにくいように、つまり、ＩＤＦ端子１０１が強固に把持されるようになっている。さらに、各把持体５１の断面形状は、図４に示すように、挿入穴４１の中心側（ＩＤＦ端子１０１側）の面に、三角状に窪んだ把持溝５１ｂが形成され、この把持溝５１ｂ、５１ｂでＩＤＦ端子１０１を挟持することで、ＩＤＦ端子１０１をより強固に把持できるようになっている。
【００２４】
また、各把持体５１の上面とハウジング４の表面板部４ａとの間には、それぞれ第２のコイルばね５４が配設され、外力が加わらない状態では、図３（ａ）に示すように、第２のコイルばね５４によって各把持体５１が表面板部４ａ側に引き寄せられている。一方、ＩＤＦ端子１０１の挿入方向Ｄ１に外力が加わると、図３（ｂ）に示すように、第２のコイルばね５４が伸びて各把持体５１が反表面板部４ａ側にスライドする。このようにして、把持部材５が挿入穴４１の軸方向にスライド自在となっている。
【００２５】
ここで、把持部材５が挿入穴４１の軸方向に沿ってスライドするように、把持体５１、５１の下半部や上半部を案内するガイド（図示せず）がハウジング４内に設けられている。また、把持体５１、５１の上半部は、広がることで挿入穴４１の内壁に当たらないように、上側に向って狭まるように傾斜状に形成されている。
【００２６】
解除機構６は、各把持部材５によるＩＤＦ端子１０１の把持を一斉に解除する機構である。すなわち、各把持部材５に対して一対ずつ設けられた解除バー６１、６１と、ハウジング４の両側面から突出して設けられた解除ピン６２、６２とを備える。解除バー６１、６１はそれぞれ、把持体５１、５１の下部を挟むように配設され、各解除バー６１と解除ピン６２とは、図５に示すように、連結バー６３を介して連動するように配設されている。
【００２７】
すなわち、外力が加わらない状態では、解除バー６１と解除バー６１とが所定距離だけ離れて、図３に示すように、把持体５１、５１に接しない位置に維持され、解除ピン６２、６２をハウジング４側(図５中Ｄ２側)に押すと、連結バー６３がスライドして、対向する解除バー６１、６１が互いに接近するようになっている。そして、各解除バー６１、６１が互いに接近して各把持体５１、５１の下半部を挟むように押し合うことで、各把持体５１、５１の上半部が広がって、各ＩＤＦ端子１０１の把持が一斉に解除されるものである。
【００２８】
一方、ケーブル２は、６本（複数）の信号線２１〜２６を有し、ハウジング４の一方の側面に接続され、各把持部材５に信号線２１〜２６が１対１に導通可能に接続されている。ここで、図２に示すように、最も左側の挿入穴４１から順に、第１の挿入穴４１１、第２の挿入穴４１２、・・・第６の挿入穴４１６とし、これらの挿入穴４１に配設されている把持部材５を順に、第１の把持部材５１、第２の把持部材５２、・・・第６の把持部材５６とする。
【００２９】
そして、図６に示すように、第１の信号線２１の一端部が、一方のコネクタ本体３の第１の把持部材５１に接続され、第１の信号線２１の他端部が、他方のコネクタ本体３の第３の把持部材５３に接続されている。第２の信号線２２の一端部が、一方のコネクタ本体３の第２の把持部材５２に接続され、第２の信号線２２の他端部が、他方のコネクタ本体３の第４の把持部材５４に接続されている。第３の信号線２３の一端部が、一方のコネクタ本体３の第３の把持部材５３に接続され、第３の信号線２３の他端部が、他方のコネクタ本体３の第１の把持部材５１に接続されている。第４の信号線２４の一端部が、一方のコネクタ本体３の第４の把持部材５４に接続され、第４の信号線２４の他端部が、他方のコネクタ本体３の第２の把持部材５２に接続されている。第５の信号線２５の一端部が、一方のコネクタ本体３の第５の把持部材５５に接続され、第５の信号線２５の他端部が、他方のコネクタ本体３の第６の把持部材５６に接続されている。第６の信号線２６の一端部が、一方のコネクタ本体３の第６の把持部材５６に接続され、第６の信号線２６の他端部が、他方のコネクタ本体３の第５の把持部材５５に接続されている。
【００３０】
ここで、第１の把持部材５１と第２の把持部材５２とが送信端子（Ｓ）を構成し、第３の把持部材５３と第４の把持部材５４とが受信端子（Ｒ）を構成し、第５の把持部材５５がＤＬ端子を構成し、第６の把持部材５６がＲＧ端子を構成する。このような接続回路により、一方のコネクタ本体３の送信端子からの情報・信号が、信号線２１、２２を経由して他方のコネクタ本体３の受信端子に送信される。同様に、他方のコネクタ本体３の送信端子からの情報・信号が、信号線２３、２４を経由して一方のコネクタ本体３の受信端子に送信される。また、一方のコネクタ本体３のＤＬ端子からの制御信号が、第５の信号線２５を経由して他方のコネクタ本体３のＲＧ端子に送信され、他方のコネクタ本体３のＤＬ端子からの制御信号が、第６の信号線２６を経由して一方のコネクタ本体３のＲＧ端子に送信されるものである。
【００３１】
モニタ端子７は、信号線２１〜２６に接続され、信号線２１〜２６の高インピーダンスレベルを測定するための端子である。すなわち、図６に示すように、６つのモニタ端子７１〜７６から構成され、第１の回線モニタ端子７１は第１の把持部材５１の信号線に接続され、第２の回線モニタ端子７２は第２の把持部材５２の信号線に接続され、第３の回線モニタ端子７３は第３の把持部材５３の信号線に接続され、第４の回線モニタ端子７４は第４の把持部材５４の信号線に接続され、第５の信号モニタ端子７５は第５の把持部材５５の信号線に接続され、第６の信号モニタ端子７６は第６の把持部材５６の信号線に接続されている。また、図２に示すように、ハウジング４の底面に各モニタ端子７１〜７６が露出して配設されている。
【００３２】
アッテネータ８は、信号線２１〜２４に接続され、信号線２１〜２４に伝送される信号のレベルを調整する減衰器であり、図６に示すように、コネクタ本体３の送信端子（Ｓ）側に接続されている。具体的には、一方のコネクタ本体３では、第１の信号線２１と第２の信号線２２とに接続されてハウジング４内に収容され、他方のコネクタ本体３では、第３の信号線２３と第４の信号線２４とに接続されてハウジング４内に収容されている。また、図２に示すように、ハウジング４の底面にアッテネータ８のディップスイッチが配設され、減衰量（信号レベル）を調整できるようになっている。
【００３３】
このような構成のＩＤＦ端子用コネクタ１を用いて、例えば、電気所において通信装置間で通信回線を接続するには、中間配線盤１００の所定のＩＤＦ端子１０１に一方のコネクタ本体３を装着し、所定のＩＤＦ端子１０１に他方のコネクタ本体３を装着すればよい。具体的には、解除ピン６２、６２を押して各把持体５１、５１の上半部を広げて、１回線分の各ＩＤＦ端子１０１をハウジング４の挿入穴４１にまとめて挿入し、解除ピン６２、６２を離す。これにより、上記のようにして、各把持部材５によってそれぞれＩＤＦ端子１０１が導通可能に把持され、把持部材５を介して各ＩＤＦ端子１０１がそれぞれ信号線２１〜２６に導通可能に接続される。
【００３４】
このとき、装着するＩＤＦ端子１０１にジャンパ線１０２が巻き付けられていない場合には、第２のコイルばね５４で把持体５１、５１が表面板部４ａ側に引き寄せられた状態で、把持体５１、５１がＩＤＦ端子１０１全体を把持・挟持する。一方、図３（ｂ）に示すように、装着するＩＤＦ端子１０１にジャンパ線１０２が巻き付けられている場合は、ジャンパ線１０２で把持体５１、５１が反表面板部４ａ側（ハウジング４内側）に押されてスライドし、この状態で、把持体５１、５１がＩＤＦ端子１０１のジャンパ線１０２以外の部分を把持・挟持する。
【００３５】
また、信号レベルを調整する場合には、アッテネータ８のディップスイッチを操作し、インピーダンスレベルを測定する場合には、回線モニタ端子７１〜７４に測定器のプローブを当てて測定し、ダイヤル信号およびリンガー信号状態を測定する場合には、信号モニタ端子７５、７６に測定器のプローブを当てて測定すればよい。その後、ＩＤＦ端子用コネクタ１を取り外す場合には、解除ピン６２、６２を押すと、上記のようにして各把持部材５によるＩＤＦ端子１０１の把持が一斉に解除されるため、続いて、ハウジング４を引き抜けばよいものである。
【００３６】
以上のように、本ＩＤＦ端子用コネクタ１によれば、各ＩＤＦ端子１０１をハウジング４の挿入穴４１に挿入するだけで、把持部材５を介して各ＩＤＦ端子１０１がそれぞれ信号線２１〜２６に導通接続されるため、適正かつ容易、短時間にＩＤＦ端子１０１への接続を行うことが可能となる。しかも、１回線分のＩＤＦ端子１０１の数だけ挿入穴４１がハウジング４に形成され、また、ＩＤＦ端子１０１を導通可能に把持する把持部材５が、挿入穴４１の軸方向にスライド自在なため、中間配線盤１００の配線状態や配設要求などに応じて、柔軟に信号線２１〜２６をＩＤＦ端子１０１に接続することが可能となる。
【００３７】
すなわち、１回線分のＩＤＦ端子１０１の数だけ挿入穴４１がハウジング４に形成されているため、個別回線の事故復旧などの配設要求に応じて、特定の回線（ＩＤＦ端子１０１）のみに本ＩＤＦ端子用コネクタ１を接続することができる。また、把持部材５が挿入穴４１の軸方向にスライド自在なため、ＩＤＦ端子１０１にジャンパ線１０２が巻き付けられている場合などであっても、把持部材５が軸方向にスライドすることでジャンパ線１０２が干渉・邪魔せず、配線状態に応じてＩＤＦ端子１０１に適正に接続することが可能となる。
【００３８】
また、解除ピン６２、６２を押すだけで、各把持部材５による把持が一斉に解除されるため、容易かつ迅速に本ＩＤＦ端子用コネクタ１を取り外すことができる。一方、解除ピン６２、６２を押さなければ、本ＩＤＦ端子用コネクタ１がＩＤＦ端子１０１に強固に接続されるため、接続状態が安定化する。
【００３９】
一方、信号線２１〜２６のインピーダンスレベルを測定するためのモニタ端子７１〜７６をコネクタ本体３に備えるため、本ＩＤＦ端子用コネクタ１を接続した状態でも、容易にインピーダンスレベルを測定することができる。さらに、信号のレベルを調整するアッテネータ８をコネクタ本体３に備えるため、基板での中継用アッテネータ（減衰器）などを設けなくても、隣接回線に影響を与えることなく、容易かつ短時間に信号レベルを調整することができる。
【００４０】
このようにして容易、安全かつ短時間に作業を行える結果、事故復旧時間などの短縮化が可能となるものである。
【００４１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、６つのＩＤＦ端子１０１（信号線２１〜２６）で１回線を構成する場合について説明したが、６つ以外の数で構成される場合にも適用できることは勿論である。
【００４２】
また、ＩＤＦ端子用コネクタ１を中継用ワンタッチ配線接続調整器として使用する場合について説明したが、その他の使用方法にも適用することができる。例えば、中間配線盤１００の機器配線側（ジャンパ線１０２の配線側の反対側）にＩＤＦ端子用コネクタ１を接続することで、回線を停止することなく無瞬断・無停止で回線切替が可能となる。また、ケーブル２の他端部にＲＪ４５モジュラ（通信用コネクタ）を接続することで、事故復旧用の可搬型光端局等の接続を容易に行うことが可能となる。さらに、ＩＤＦ端子用コネクタ１の一方のコネクタ本体３のみを接続することで、配線盤でのレベル測定装置として使用したり、信号発生器（ＳＧ）を用いて試験信号を送信したりすることが可能となる。また、回線構成時の試験用ツールとして、特定の回線にＩＤＦ端子用コネクタ１を接続することで、短時間で測定作業を行うことが可能となる。さらに、ケーブル２をハウジング４に対して着脱自在にしてもよく、これにより、多様な使用方法が可能となる。
【００４３】
なお、ノイズ対策が必要な場合、ハウジング４やケーブル２にシールドを施す場合も含まれる。すなわち、シールドを付加する場合、図１、図２および図６に示すように、アース線２０および接続端子７７を設ける。
【符号の説明】
【００４４】
１        ＩＤＦ端子用コネクタ
２        ケーブル
２１〜２６  信号線
３        コネクタ本体
４        ハウジング
４１      挿入穴
５        把持部材
６        解除機構（解除手段）
７        モニタ端子（測定端子）
８        アッテネータ（レベル調整手段）
１００    中間配線盤
１０１    ＩＤＦ端子
【図１】
0005908523.tif 000002
【図２】
0005908523.tif 000003
【図３】
0005908523.tif 000004
【図４】
0005908523.tif 000005
【図５】
0005908523.tif 000006
【図６】
0005908523.tif 000007